(57)【要約】【課題】装置間を個々にインタフェースによって接続する必要なく、確実かつ容易に装置間でデータのクローニングを可能とする。【解決手段】設定データ選択手段２０２は、画像処理装置の機能に関わる各種設定値を設定するための設定データを、操作入力手段２０３に対するユーザ入力に従って機能ごとに選択する。そして画像形成手段２０１は、設定データ選択手段２０２で選択された設定データを記録媒体上に画像形成することにより、クローンシートを作成することができる。またデータ設定手段２０４は、画像読取手段２００が読み取ったクローンシートの設定データを、該当する機能に関わる設定データとして自身の画像処理装置に設定する。この設定データは、予め用意された選択肢から選択された設定データと、ユーザ入力により設定された設定データ、画像処理装置の機種情報、及び画像処理装置のログ情報を含むことができる。【選択図】図２
2007266964.tif 000002
【特許請求の範囲】
【請求項１】
記録媒体に記録された画像を読み取る画像読取手段と、
記録媒体上に画像形成を行う画像形成手段と、を有する画像処理装置において、
該画像処理装置の機能に関わる各種設定値を設定するための設定データを、ユーザ入力に従って機能ごとに選択する設定データ選択手段を有し、
前記画像形成手段は、前記設定データ選択手段で選択された設定データを記録媒体上に画像形成することを特徴とする画像処理装置。
【請求項２】
請求項１に記載の画像処理装置において、
前記画像読取手段が読み取った設定データを該画像処理装置に設定することで、設定値のクローニングを行うデータ設定手段を有することを特徴とする画像処理装置。
【請求項３】
請求項１または２に記載の画像処理装置において、
前記設定データは、予め用意された選択肢から選択された設定データと、ユーザ入力により設定された設定データとを含むことを特徴とする画像処理装置。
【請求項４】
請求項１ないし３のいずれか１に記載の画像処理装置において、
前記画像形成手段は、前記設定データとともに、クローニングの可否を判断するための該画像処理装置の機種データを画像形成することを特徴とする画像処理装置。
【請求項５】
請求項１ないし４のいずれか１に記載の画像処理装置において、
前記画像形成手段は、前記設定データとともに、該画像処理装置の処理状況を示すログデータを画像形成することを特徴とする画像処理装置。
【請求項６】
請求項１ないし５のいずれか１に記載の画像処理装置において、
前記設定データ、前記機種データ、及び前記ログデータのいずれかまたは複数をコード化されたコード情報として画像形成することを特徴とする画像処理装置。
【請求項７】
請求項６に記載の画像処理装置において、
前記設定データ、前記機種データ、及び前記ログデータのいずれかまたは複数を文字情報として画像形成することを特徴とする画像処理装置。
【請求項８】
画像読取手段で読み取った画像に従って記録媒体上に画像形成を行う画像形成手段を有する画像処理装置間で、該画像処理装置の機能に関わる各種設定値を設定するための設定データをクローニングするためのクローニング方法であって、
ユーザ入力に従って、前記設定データを前記画像処理装置の機能ごとに選択する設定データ選択ステップと、
該設定データ選択ステップで選択された設定データを記録媒体上に画像形成する画像形成ステップとを有することを特徴とするクローニング方法。
【請求項９】
請求項８に記載のクローニング方法において、
前記画像読取手段が読み取った設定データを、前記画像処理装置に設定してクローニングを実行するクローニングステップを有することを特徴とするクローニング方法。
【請求項１０】
請求項８または９に記載のクローニング方法において、
前記設定データは、予め用意された選択肢から選択された設定データと、ユーザ入力により設定された設定データとを含むことを特徴とするクローニング方法。
【請求項１１】
請求項８ないし１０のいずれか１に記載のクローニング方法において、
前記画像形成ステップは、前記設定データとともに、クローニングの可否を判断するための前記画像処理装置の機種データを画像形成することを特徴とするクローニング方法。
【請求項１２】
請求項８ないし１１のいずれか１に記載のクローニング方法において、
前記画像形成ステップは、前記設定データとともに、前記画像処理装置の処理状況を示すログデータを画像形成することを特徴とするクローニング方法。
【請求項１３】
請求項８ないし１２のいずれか１に記載のクローニング方法において、
前記画像形成ステップは、前記設定データ、前記機種データ、及び前記ログデータのいずれかまたは複数をコード化されたコード情報として画像形成することを特徴とするクローニング方法。
【請求項１４】
請求項１３に記載のクローニング方法において、
前記画像形成ステップは、前記設定データ、前記機種データ、及び前記ログデータのいずれかまたは複数を文字情報として画像形成することを特徴とするクローニング方法。
【発明の詳細な説明】
【技術分野】
【０００１】
本発明は、画像処理装置及びデータのクローニング方法に関し、より詳細には、画像処理装置の各種機能に関わる設定値を他の画像処理装置に移植（クローニング）するための機能を有する画像処理装置、及びクローニング方法に関する。
【背景技術】
【０００２】
画像処理装置として、例えば、原稿を読み取って得た画像データを公衆回線網等を介して他の装置に転送するスキャナ装置や、原稿を読み取って得た画像データを記録材に記録する複写機、あるいは複写機の機能・ファクシミリ装置の機能・プリンタ装置の機能を備えた複合機などが知られている。
【０００３】
このような画像処理装置では、その装置が持つ機能を実行する際の各種の条件が設定されている。例えば複写機能では、用紙サイズや両面コピー設定、拡大・縮小設定、コピー濃度、トレイ設定等、多くの設定項目が存在する。
そしてファクシミリ機能やプリンタ機能等、多くの機能を持つ複合機などでは、これら各機能ごとに各種の設定項目が存在する。
【０００４】
これらの機能毎の設定項目の各設定値について、複数の装置に共通の設定値を設定する必要が生じる場合がある。
例えば画像処理装置の製造工程において、特定のロットに対して設定値を共通に変更する必要が生じたり、あるいは同一の顧客に多数の画像形成装置を納品し、その顧客に固有の設定値を各画像処理装置に設定する必要が生じることがある。
このような場合、従来は、一つの画像処理装置に設定した設定値情報を、必要とする各画像処理装置に移植しなくてはならない。このような移植処理をクローニングという。
【０００５】
また、ファクシミリ機能やメール送受信機能等を有する画像処理装置の場合、例えば相手先名称や、電話番号、ＦＡＸ番号、メールアドレス、グループ登録情報、あるいはインテックス情報等の、ユーザにより入力された情報がアドレス帳などに設定されている。
例えば同一事業所内で共通のアドレス情報を使用する場合など、このようなユーザ入力情報についても、複数の画像処理装置にクローニングを行う必要が生じる場合がある。
【０００６】
このような入力設定値を他の装置が利用できるようにした技術に関し、例えば、特許文献１には、画質の微妙な調整を効率的に行ったり、１つの装置が画像の入力について行った設定を他の装置が利用することができる画像入力装置が開示されている。
ここでは、パソコンが通信ケーブルを介してスキャナに接続され、画像の読取作業を行う。そして読み取りのための各種パラメータを変えて原稿の読み取りが行われると、設定登録部はこれらの設定内容を履歴記録部に格納する。これら格納された履歴情報はディスプレイに表示される。従って、オペレータは直前の設定内容だけでなく、更に過去の内容も自由に読み出して更に良い画質で画像の取り込みが行われるようにパラメータの調整を行うことができる。
【特許文献１】特開平１１−２６６３６１号公報
【発明の開示】
【発明が解決しようとする課題】
【０００７】
従来では、画像処理装置に設定された機能毎の設定値情報や、アドレス帳等のユーザ入力によって設定された設定値を他の画像処理装置にクローニングする場合、例えばシリアルインターフェースを介して他の画像処理装置に設定値をクローニングしたり、シリアルインターフェースからＰＣを介して各画像処理装置に設定値をクローニングしたり、あるいはネットワークからサーバを介して各画像処理装置に設定値をクローニングする作業を行う必要があった。
【０００８】
しかしながら、それぞれの画像処理装置を何らかのインターフェースを介して接続し、各設定値をひとつずつクローニングしていくには、非常に煩雑な作業を強いられていた。
また、上記のようなインターフェースを接続できない低級機器などでは、インターフェースを介した設定値のクローニングは事実上不可能であり、また、画像処理装置の生産ラインなどで、各機能ユニットの取付工程ごとにその機能に関わる設定値を設定する場合などでも、上記のようなインターフェースを介した設定値のクローニングは困難であった。
【０００９】
特許文献１では、格納された履歴情報により、各種パラメータの設定を修正することができるが、上記のような製造工程途中の機器や、インターフェース接続ができない機器等において、簡便に設定値をクローニングできるようにした思想については開示されていない。
【００１０】
本発明は、上述のごとき実情に鑑みてなされたものであり、装置間を個々にインターフェースによって接続する必要なく、装置の機能毎の各種設定値と、ユーザ入力された各種設定値とを、確実かつ容易に装置間でクローニングすることができるようにした画像処理装置を提供することを目的とするものである。
【課題を解決するための手段】
【００１１】
上述のごとき課題を解決するために、本発明の第１の技術手段は、記録媒体に記録された画像を読み取る画像読取手段と、記録媒体上に画像形成を行う画像形成手段と、を有する画像処理装置において、画像処理装置の機能に関わる各種設定値を設定するための設定データを、ユーザ入力に従って機能ごとに選択する設定データ選択手段を有し、画像形成手段は、設定データ選択手段で選択された設定データを記録媒体上に画像形成することを特徴としたものである。
【００１２】
第２の技術手段は、第１の技術手段において、画像読取手段が読み取った設定データを画像処理装置に設定することで、設定値のクローニングを行うデータ設定手段を有することを特徴としたものである。
【００１３】
第３の技術手段は、第１または第２の技術手段において、設定データは、予め用意された選択肢から選択された設定データと、ユーザ入力により設定された設定データとを含むことを特徴としたものである。
【００１４】
第４の技術手段は、第１ないし第３のいずれか１の技術手段において、画像形成手段は、設定データとともに、クローニングの可否を判断するための画像処理装置の機種データを画像形成することを特徴としたものである。
【００１５】
第５の技術手段は、第１ないし第４のいずれか１の技術手段において、画像形成手段は、設定データとともに、画像処理装置の処理状況を示すログデータを画像形成することを特徴としたものである。
【００１６】
第６の技術手段は、第１ないし第５のいずれか１の技術手段において、設定データ、機種データ、及びログデータのいずれかまたは複数をコード化されたコード情報として画像形成することを特徴としたものである。
【００１７】
第７の技術手段は、第６の技術手段において、設定データ、機種データ、及びログデータのいずれかまたは複数を文字情報として画像形成することを特徴としたものである。
【００１８】
第８の技術手段は、画像読取手段で読み取った画像に従って記録媒体上に画像形成を行う画像形成手段を有する画像処理装置間で、画像処理装置の機能に関わる各種設定値を設定するための設定データをクローニングするためのクローニング方法であって、ユーザ入力に従って、設定データを画像処理装置の機能ごとに選択する設定データ選択ステップと、設定データ選択ステップで選択された設定データを記録媒体上に画像形成する画像形成ステップとを有することを特徴としたものである。
【００１９】
第９の技術手段は、第８の技術手段において、画像読取手段が読み取った設定データを、画像処理装置に設定してクローニングを実行するクローニングステップを有することを特徴としたものである。
【００２０】
第１０の技術手段は、第８または第９の技術手段において、設定データは、予め用意された選択肢から選択された設定データと、ユーザ入力により設定された設定データとを含むことを特徴としたものである。
【００２１】
第１１の技術手段は、第８ないし第１０のいずれか１の技術手段において、画像形成ステップは、設定データとともに、クローニングの可否を判断するための画像処理装置の機種データを画像形成することを特徴としたものである。
【００２２】
第１２の技術手段は、第８ないし第１１のいずれか１の技術手段において、画像形成ステップは、設定データとともに、画像処理装置の処理状況を示すログデータを画像形成することを特徴としたものである。
【００２３】
第１３の技術手段は、第８ないし第１２のいずれか１の技術手段において、画像形成ステップは、設定データ、機種データ、及びログデータのいずれかまたは複数をコード化されたコード情報として画像形成することを特徴としたものである。
【００２４】
第１４の技術手段は、第１３の技術手段において、画像形成ステップは、設定データ、機種データ、及びログデータのいずれかまたは複数を文字情報として画像形成することを特徴としたものである。
【発明の効果】
【００２５】
本発明によれば、装置間を個々にインターフェースによって接続する必要なく、装置の機能毎の各種設定値と、ユーザ入力された各種設定値とを、確実かつ容易に装置間でクローニングすることができる。
さらに本発明によれば、クローニングさせる情報に装置の機種情報を含めることにより、異なる機種から誤って設定不可能なデータを読み取ることを防ぐことができ、効率よく信頼性の高いクローニングを行うことができるようになる。
【００２６】
さらに本発明によれば、クローニングさせる情報に装置の処理状況を示すログ情報を含めることにより、バグや装置の異常をクローニング先の装置で再現できるようになり、トラブル解析を柔軟に行うことができるようになる。
さらに本発明によれば、各種機能に応じた各種設定値のうち、所望の機能についてのみ選択的に設定値をクローニングすることができる。
【発明を実施するための最良の形態】
【００２７】
図１は、本発明の画像処理装置が適用可能なデジタル複合機の構成例を説明するための図である。本デジタル複合機１を用いて本発明に関わる実施形態を説明するが、本発明による画像処理装置は、記録媒体に記録された画像を読み取るスキャナ等の画像読取手段と、記録媒体に印刷等によって画像形成を行う画像形成手段とを備えた各種の画像処理装置に適用することができる。
【００２８】
デジタル複合機１は、演算を行うＣＰＵ及び演算に伴う一時的な情報を記憶するＲＡＭ等からなる機器制御部１４を備えている。機器制御部１４には、デジタル複合機１を制御する制御プログラムを記憶したＲＯＭが含まれる。また、機器制御部１４には、デジタル複合機１が行う処理を管理するための管理情報（各種の制御情報）を記憶するメモリである管理部１７が接続されている。
【００２９】
機器制御部１４には、記録用紙に記録された画像を読み取って画像データを生成する画像読取部１１が接続される。画像読取部１１には、原稿画像を画像データとして取り込むためのＣＣＤ１１ａと、原稿の有無を検知する原稿検知センサ１１ｂとが設けられている。
【００３０】
また、機器制御部１４には、記録用紙上に画像データを形成する画像形成部１３が接続される。画像形成部１３には、画像データを一時的に記憶するメモリ１３ａと、メモリ１３ａが記憶した画像データから画像を形成して記録用紙に記録する印字部（ＬＳＵ）１３ｂと、印字部１３ｂで画像形成するための給紙用のトレイ１３ｃ，１３ｄと、画像データに対して暗号化または復号化処理を行う暗号化復号化部１３ｅとが設けられる。
【００３１】
そして、デジタル複合機１は、画像読取部１１が生成した画像データをメモリ１３ａに一旦記憶させた後、印字部１３ｂで画像を形成することができる。なお、メモリ１３ａに一旦記憶させた画像データは、暗号化復合化部１３ｅにて暗号化した後、ハードディスク（ＨＤ）１６に記憶するようにしてもよい。その場合、ＨＤ１６から読み出した画像データを暗号化復号化部１３ｅで復号化してメモリ１３ａに読み出すことで、印字部１３ｂへの画像データの伝送を可能にする。このようにして、デジタル複合機１は複写機として機能する。
【００３２】
また機器制御部１４のＲＯＭには、各種設定データやログデータ等を二次元コードにコード化し、またコード化した情報をデコードするための二次元コードプログラムが保持される。機器制御部１４は、二次元コードプログラムに従って、選択された設定データやログデータ等をコード化して二次元コードを生成するとともに、画像読取部１１が読み取った二次元コードをデコードしてこれら設定データやログデータを取得する。
なお設定データやログデータのコード化情報として、二次元コード以外のものを用いる場合は、そのコード／デコードを可能とするプログラムが保持される。
【００３３】
また、機器制御部１４には、ファクシミリ通信を行うＦＡＸモデム１８が接続される。ＦＡＸモデム１８は公衆回線網Ｎ３に接続されている。
そしてデジタル複合機１は、画像読取部１１が生成し、もしくは外部から取得してメモリ１３ａやＨＤ１６に記憶させた画像データを、ＦＡＸモデム１８に接続された公衆回線網Ｎ３を介して他のファクシミリ装置４へファクシミリ送信することができる。これによりＳｃａｎ ｔｏ ＦＡＸ機能を実現することができる。
【００３４】
また、デジタル複合機１は、公衆回線網Ｎ３を介して他のファクシミリ装置４から送信された画像データをＦＡＸモデム１８で受信し、画像形成部１３で画像を形成することができる。このようにして、デジタル複合機１はファクシミリ装置として機能する。
【００３５】
また、機器制御部１４には、デジタル複合機１が外部と情報を送受信するための通信部（送受信手段）１５が接続される。通信部１５は、社内ＬＡＮ等の通信ネットワークＮ１に接続可能である。また通信ネットワークＮ１には、複数のパーソナルコンピュータ（ＰＣ）５が接続可能である。
デジタル複合機１が単独で動作している通常の状態では、通信部１５は通信ネットワークＮ１に接続され、通信ネットワークＮ１を介してＰＣ５との間で情報を交換する。
【００３６】
デジタル複合機１は、画像読取部１１が生成した画像データを通信部１５からＰＣ５に送信することができる。この場合、デジタル複合機１はネットワークスキャナ装置として機能する。なお、生成した画像データをＨＤ１６に保存する場合には、デジタル複合機１は、単なるスキャナ装置として機能する。
【００３７】
また、デジタル複合機１は、ＰＣ５から送信された画像データを通信部１５で受信し、画像形成部１３で画像を形成することができる。このようにして、デジタル複合機１はプリンタ装置として機能する。
【００３８】
通信ネットワークＮ１は、更にインターネット等の広域通信ネットワークＮ２に接続されている。通信部１５は、広域通信ネットワークＮ２に接続されたインターネットファクシミリ装置２や外部ＰＣ３との間で画像データを送受信することができる。このようにして、デジタル複合機１は、インターネットファクシミリ装置として機能し、また画像データを添付して電子メールを送信するメール送信装置や、画像データをＦＴＰ（Ｆｉｌｅ  Ｔｒａｎｓｆｅｒ  Ｐｒｏｔｏｃｏｌ）で送信するデータ送信装置として機能する。
【００３９】
また、機器制御部１４には、使用者からの操作指示を受け付ける操作部１２が接続される。操作部１２は、使用者の操作により制御命令などの情報が入力されるタッチパネルやテンキー等の入力部１２ａと、操作のために必要な情報を表示する液晶パネル等の表示部１２ｂとからなっている。
操作部１２には、デジタル複合機１の管理者や利用者（すなわち操作者）を認証するための認証コードが入力される。また、認証コードは、ＦＡＸモデム１８や通信部１５を介して外部機器から入力する場合もある。また機器制御部１４には、ＨＤ１６に記録保持されているデータを消去する消去手段１９が接続される。
【００４０】
そして本発明に関わる実施形態の特徴として、デジタル複合機１は、その機能に関わる各種設定データと、ユーザ入力された各種設定データとを記録紙等の記録媒体に画像形成する。設定値は、二次元コード等にコード化することができる。
そして、他のデジタル複合機１では、そのコード化情報が画像形成された記録紙から設定値データを読み込み、コード化されている場合には、これをデコード化して得られた各種設定データを自身の該当する機能に設定する。こうして、記録媒体を介することにより、複数のデジタル複合機１同士で各種設定データのクローニングを簡単に行うことができるようになる。また上記の設定データに加えて、画像処理装置の機種データや、画像処理装置のログデータを画像形成し、これらのクローニングを可能とすることができる。
【００４１】
図２は、本発明の画像処理装置の機能を説明するための機能ブロック図である。
画像読取手段２００は、記録紙等の記録媒体に記録された画像を読み取る。この画像読取手段２００は、図１のデジタル複合機１の画像読取部１１に該当する。
また画像形成手段２０１は、画像読取手段２００で読み取った画像に従って、記録紙等の記録媒体上に画像形成を行うことができる。画像形成手段２０１は、図１のデジタル複合機１の画像形成部１３に該当する。
【００４２】
設定データ選択手段２０２は、画像処理装置の機能に関わる各種設定値を設定するための設定データを、操作入力手段２０３に対するユーザ入力に従って機能ごとに選択する。
設定データ選択手段２０２は、図１のデジタル複合機１の機器制御部１４が該当し、操作入力手段２０３は、図１の操作部１２が該当する。
そして画像形成手段２０１は、設定データ選択手段２０２で選択された設定データを記録媒体上に画像形成することにより、クローンシートを作成することができる。
【００４３】
またデータ設定手段２０４は、画像読取手段２００が読み取ったクローンシートの設定データを、該当する機能に関わる設定データとして自身の画像処理装置に設定する。データ設定手段２０４は、図１の機器制御部１４が該当する。
そして上記の設定データは、予め用意された選択肢から選択された設定データと、ユーザ入力により設定された設定データとを含むことができる。
【００４４】
さらに画像形成手段２０１は、クローンシートを作成するときに、上記の設定データとともに、クローニングの可否を判断するための画像処理装置の機種データを画像形成することができる。さらに画像形成手段２０１は、クローンシートを作成するときに、上記の設定データとともに、画像処理装置の処理状況を示すログデータを画像形成することができる。そしてこれらの設定データ、前記機種データ、及び前記ログデータのいずれかまたは複数をコード化されたコード情報として画像形成することができる。またこれらのデータを文字情報として画像形成することができる。このときに画像形成手段２０１は、図１の画像形成部１３と、コード化プログラムを有する機器制御部１４とが該当する。
【００４５】
以下にこのような本発明に関わるクローニング処理の実施形態について、デジタル複合機１の操作部１２の画面例を参照しながらさらに詳細に説明する。
まず図３〜図２４を参照して、デジタル複合機１に設定される各種設定値の例を説明する。
【００４６】
図３は、図１のデジタル複合機における操作部の一例を示す図である。
操作パネル２０は、図１の入力部１２ａ及び表示部１２ｂに相当する。この操作パネル２０には、スタートキー２１ａ及び全解除キー２１ｂによる主キー２１が設けられている。またこれらの他に、テンキー２２、プリンタキー２３、ファックス／イメージ送信キー２４、コピーキー２５、ジョブ状況キー２６、ユーザ設定キー２７、及びタッチパネル２８が設けられている。
【００４７】
プリンタキー２３、ファックス／イメージ送信キー２４、コピーキー２５、ジョブ状況キー２６は、タッチパネル２８上に、これら各キーに該当するＧＵＩ（グラフィカルユーザインターフェース）を表示させるためのキーである。
【００４８】
プリンタキー２３により、タッチパネル２８の表示をプリンタモード画面に切り替えることができる。またファックス／イメージ送信キー２４により、ネットワースキャナやファックスモードの画面をタッチパネル２８に表示させることができる。
【００４９】
またコピーキー２５により、コピーモードの画面をタッチパネル２８に表示させることができる。またジョブ状況キー２６により、現在のジョブ状況をタッチパネル２８に表示させることができる。ジョブ状況として、例えば、予約・実行中または処理が完了したジョブのリストを表示させることができる。この画面でジョブの内容を確認したり、予約中の印刷順位を移動したり、特定のジョブを中止させることができる。
【００５０】
ユーザ設定キー２７は、タッチパネル２８の表示画面をユーザ設定画面へ移行させるためのキーである。ユーザ設定画面では、ドキュメントファイリングのユーザ名やフォルダ名の登録・修正・削除、あるいはキーオペレータープログラムやプリンタ環境設定などを行うことができる。
【００５１】
図３では、コピーモード時のタッチパネル２８の基本画面例を示している。コピーモードの基本画面では、コピー濃度の表示・設定を行うためのコピー濃度キー２８ａ、用紙選択の表示・設定を行うための用紙キー２８ｂ、コピー倍率の表示・設定を行うための倍率キー２８ｃが表示される。
さらにこの基本画面では、とじしろ設定や枠消去、大量原稿モード、タンデムコピー等の特別機能を設定するための特別機能キー２８ｄ、片面／両面コピーを設定するための両面コピーキー２８ｅ、読み込んだ画像をアウトプットするためのアウトプットキー２８ｆが表示される。
【００５２】
図４〜図７は、コピーモード機能の設定値の設定例をそれぞれ説明するための図である。図３の特別機能キー２８ｄを押すと、図４の画面に移行する。なお画面に表示されたキーやボタンを押すとの表現は、タッチパネルを使用して特定のキーやボタンにタッチして確定することを指すが、この他図示しないポインティングデバイスや方向キー等で選択したキーやボタンを確定する動作も含む。
【００５３】
図４の画面では、原稿画像を移動させてとじしろを設定するためのとじしろキー３１、厚手の原稿やブックものなどの原稿をコピーしたときにできる周囲の影を消すための枠消去キー３２、原稿の左右半分を順番に連続コピーするための１セット２コピーキー３３、１枚の用紙の裏表にそれぞれ原稿を２枚分ずつ両面コピーすることにより、できあがったコピーを二つ折りにすると中とじの冊子になる中とじキー３４、原稿自動送り機能で一度に送りきれない枚数の原稿を分割して読み込ませるための大量原稿モードキー３５、及び集約印刷を設定するためのマルチショットキー３６が設定されている。
【００５４】
図５は、図４のとじしろキー３１を押したときに開く画面を示す図である。
とじしろキー３１によって、とじしろを設定可能な画面を開くことができる。ここではとじしろは記録用紙の左側に設定され、とじしろ量は表面、裏面ともに１０ｍｍに設定されている。
このようなとじしろ位置ととじしろ量が、コピー機能における設定値の一つに相当する。以下の例においても同様に各種の設定値が設定される。
【００５５】
図６は、図４の中とじキー３４を押したときに開く画面を示す図である。
中とじキー３４によって、中とじを設定可能な画面を開くことができる。ここでは、中とじは、原稿が片面で、左とじによって中とじするように設定されている。
【００５６】
図７は、図４のマルチショットキー３６を押したときに開く画面を示す図である。
マルチショットキー３６によって、マルチショット（集約印刷）を設定可能な画面を開くことができる。ここでは集約印刷は２ｉｎ１（２枚の原稿を１枚の記録紙に集約）に設定され、レイアウトは左側に１枚目の原稿、右側に２枚目の原稿となるように設定されている。
【００５７】
図８は、図３の画面におけるコピー濃度キー２８ａを押したときに開く画面を示す図である。コピー濃度キー２８ａによって、コピー濃度設定を行うことができる。ここでは、原稿の種類が文字に設定され、濃度が自動に設定されている。
【００５８】
図９は、図３の画面における倍率キー２８ｃを押したときに開く画面を示す図である。倍率キー２８ｃによって、コピー倍率を設定することができる。ここでは、コピー倍率１００％の自動選択が設定されている。
【００５９】
図１０は、図３の画面における用紙キー２８ｂを押したときに開く画面を示す図である。用紙キー２８ｂによって、用紙を設定することができる。ここではＡ４サイズの自動給紙が設定されている。
【００６０】
図１１は、図３の両面コピーキー２８ｅを押したときに開く画面を示す図である。両面コピーキー２８ｅによって、片面コピー／両面コピーの条件を設定することができる。ここでは、片面の原稿を記録紙の片面にコピーする片面→片面が設定されている。
【００６１】
図１２は、図３のユーザ設定キー２７を押したときに開く画面を示す図である。
図３に示すユーザ設定キー２７を押すと、図１２に示すようなユーザ設定画面が表示される。ユーザ設定画面には、総使用枚数表示４１、画面コントラスト４２、データリストプリント４３、日付・時刻設定４４、給紙トレイ設定４５、相手先登録４６、キーオペレータープログラム４７等の設定項目キーが表示され、これら設定項目キーに従って、各項目に従う設定を行うことができる。
【００６２】
図１３は、図１２に示す相手先登録キー４６を押したときに開く画面を示す図である。相手先登録４６のキーにより、Ｅ−ＭＡＩＬやインターネットＦＡＸ等の相手先を登録することができる。
図１３の画面では、相手先アドレスキー５１、ユーザインデックスキー５２、及びＥ−ＭＡＩＬ発信元キー５３が設定されている。
【００６３】
図１４は、図１３の相手先アドレスキー５１を押したときに開く画面を示す図である。相手先アドレスキー５１によって、送信相手先のアドレスを設定することができる。
図１４の画面では、ワンタッチキー６１及びグループキー６２が設定されている。
【００６４】
図１５は、図１４のワンタッチキー６１を押したときに開く画面を示す図である。
ワンタッチキー６１を用いることにより、Ｅ−ＭＡＩＬやインターネットＦＡＸにおける送信相手先のアドレスをワンタッチキーに登録することができる。
図１５の画面では、送信する手段としてＥ−ＭＡＩＬ７１とインターネットＦＡＸ７２が設定され、それぞれのチェックボックスを任意にチェックすることによって送信手段を指定することができる。
【００６５】
そして相手先名７３を押すと図示しない文字入力画面に切り替わり、送信相手先の名称を登録することができるようになる。そして検索文字キー７４を押すことにより、検索用のひらがなを例えば５文字まで設定することができる。ここで入力する検索文字が、５０音インデックスの分類とワンタッチキーの表示順序を決定する。
そしてインデックスキー７５を押すと図示しないインデックス設定画面に切り替わり、送信相手先のインデックスを設定することができる。ここでは、例えば５０音で区分されたインデックスとは異なるユーザインデックスを設定することができる。
【００６６】
またアドレスキー７６を押すと図示しないアドレス入力画面に切り替わり、送信相手先のアドレスを入力することができる。
またキー名称キー７７押すと図示しないキー名称キー入力画面に切り替わり、ワンタッチキーに表示されるキー名称を設定することができる。
またフォーマットキー７８を押すと図示しないフォーマット設定画面に切り替わり、送信するデータのファイルフォーマット／圧縮形式を設定することができる。
さらに図１４のグループキー６２を押すことにより、ワンタッチキーに登録した送信先をグループ登録することができる。
【００６７】
図１６及び図１７は、図３のファックス／イメージ送信キー２４を押したときに開くアドレス帳の画面を示す図である。ファックス／イメージ送信キー２４により、ネットワースキャナやファックスモードの送信先を示すアドレス帳の画面をタッチパネル２８に表示させることができる。
ここでは図１６に示すように、ワンタッチキー８１に登録された送信相手先が表示される。またこれらの送信相手先は、インデックス８２によって分類されている。図１６に示すインデックス“得意先”は、通常の５０音インデックスとは別にユーザ設定されたインデックスである。また図１７は、図１６のアドレ帳において、“あ／か”のインデックス８２に設定された送信先の一例を示す図である。
【００６８】
図１８は、ユーザ設定画面のキーオペレータープログラムの認証例を説明するための図である。
図１８（Ａ）は、上記図１２に示したユーザ設定画面と同じ画面で、キーオペレータープログラムキー４７が選択された状態を示すもので、これを押すと、図１８（Ｂ）に示すようなキーオペレーターコード入力画面が表示される。そして、キーオペレーターが、キーオペレーターコード入力部４８に対して所定のコードを入力する（図１８（Ｃ））。
【００６９】
図１９は、キーオペレータープログラムのメニュー画面例を示す図である。
図１８（Ｃ）のキーオペレーターコード入力画面で入力されたコードが認証されると、図１９に示すような、キーオペレータープログラムのメニュー画面が表示される。
キーオペレータープログラムのメニュー画面には、部門別の枚数集計や使用枚数制限などを設定するための部門管理キー９１、セーブモードなどの省エネルギー設定を行うための省エネルギー設定キー９２、キータッチ音やオートクリアモード等の操作に関わる設定を行うための操作設定キー９３、周辺装置の使用禁止等を設定するためのデバイス設定キー９４、インターフェースやネットワーク等の各種システム管理用の設定を行うためのシステム管理設定キー９５が設けられる。
【００７０】
さらにキーオペレータープログラムのメニュー画面には、コピーモード時の濃度や倍率等、各種のコピー条件の設定を行うためのコピー設定キー９６、ファクス送信や画像（イメージ）送信時の各種条件設定を行うためのファックス／イメージ送信設定キー９７、キーオペレーターだけが印刷できるリストやレポートの印刷を行うためのリスト／レポートプリントキー９８、キーオペレーターコードや登録番号を変更するためのキーオペレーターコード変更キー９９、プロダクトキー（暗証番号）の入力操作を行うためのプロダクトキー入力キー１００、及び本発明に関わるクローン処理キー１０１が設けられている。
【００７１】
図２０は、図１９の画面でデバイス設定キー９４を押したときのデバイス設定画面を示す図である。
デバイス設定の画面では、原稿検知装置の設定１１１として、両面機能の使用禁止１１２、メールビンスタッカーの使用禁止１１３、原稿送り装置の使用禁止１１４、及び給紙デスクの使用禁止１１５の各チェックボックスが設定されていて、これらチェックボックスをチェックすることにより該当項目の機能を有効にすることができる。これらを使用することにより、本体に接続されている周辺機器が故障したときなど、一時的に使用を禁止したい周辺機器を適宜使用できないように設定することができる。
【００７２】
また図２０に示すデバイス設定の画面には、セキュリティ設定キー１１６が設定されている。
図２１は、図２０のセキュリティ設定キー１１６を押したときのセキュリティ設定画面を示す図である。
セキュリティ設定画面には、データエリアのデータ消去を行うためのデータエリア消去キー１１７、データエリアの消去回数を設定するためのデータエリア消去回数キー１１８、電源ＯＮ時のデータエリアの自動消去を設定するための電源ＯＮ時の自動消去キー１１９が設定されている。
【００７３】
図２２は、図１９と同じキーオペレータープログラムのメニュー画面を示す図で、システム管理設定キー９５が選択されている状態を示す図である。図２３は、キーオペレータープログラムのメニュー画面にてシステム管理設定キー９５を押したときのシステム管理設定画面を示す図である。
システム管理設定画面には、工場出荷時の各種プリンタ機能の設定を変更したり解除したりするための基本設定キー１２１、デジタル複合機のパラレルポートやネットワークポートに送られるデータの監視や制限などを設定するためのインターフェース設定キー１２２、デジタル複合機をネットワークプリンタとして使用するときの条件を設定するためのネットワーク設定キー１２３、及び本システム管理に関わる条件等の保存／呼び出しを行うためのシステム管理の保存／呼出しキー１２４が設定されている。
【００７４】
図２４は、図２３に示すシステム管理設定画面においてネットワーク設定キーを押したときのネットワーク設定画面を示す図である。
ネットワーク設定画面には、ネットワークにおけるＩＰアドレスを設定するためのＩＰアドレス設定キー１３１が表示される。ここでは、ＮｅｔＷａｒｅ有効設定１３２、ＮｅｔＢＥＵＩ有効設定１３３、ＴＣＰ／ＩＰ有効設定１３４、及びＥｔｈｅｒＴａｌｋ有効設定１３５のチェックボックスと、ＮＩＣリセットキー１３６が設定される。ＴＣＰ／ＩＰ有効設定１３４のチェックボックスをチェックし、ＩＰアドレス設定キー１３１を用いることによりＩＰアドレスを設定することができる。
【００７５】
図２５は、図２４に示すＩＰアドレス設定キー１３１を押したときのＩＰアドレス設定画面を示す図である。
ＩＰアドレス設定画面では、ＩＰアドレス１３７、ＩＰネットマスク１３８、ＩＰゲートウェイ１３９が設定できる。またＤＨＣＰボタン１４０により、ＩＰアドレス設定の自動取得の有効／無効を設定することができる。
【００７６】
上述のように、本発明が適用可能なデジタル複合機においても、そのデジタル複合機が有する各種の機能ごとに、多岐にわたる条件設定が行われる。
これらの設定データは、機能毎に予め用意された選択肢から選択されて設定されたものと、アドレスデータのようにユーザ入力によって入力されるものとがある。
前述したように、本発明に関わる実施形態では、これら選択された設定データとユーザ入力により設定された設定データとの両方を、記録紙等に画像形成する機能が付与されている。またこれらに加えて、デジタル複合機の機種を示す機種データ、及びデジタル複合機の処理状況を示すログデータを画像形成することもできる。これらのデータが形成された記録紙から、そのデータを読み込むことにより簡単にデータのクローニングを行うことができる。
以下にクローン処理の具体例について、操作部の画面例を参照しながら説明する。
【００７７】
図２６は、上記図２２に示したキーオペレータープログラムのメニュー画面でクローン処理キー１０１を選択した状態を示す図である。そして図２７は、図２６でクローン処理キー１０１が押されたときのクローン処理メニュー画面を示す図である。
図２６のキーオペレータープログラムのメニュー画面から、図２７に示すクローン処理メニュー画面を開くことができる。クローン処理メニュー画面には、クローンリストの作成キー１４１と、クローンリストの読み込みキー１４２とが設定されている。
【００７８】
図２８及び図２９は、図２７のクローン処理メニュー画面で、クローンリストの作成キー１４１を押したときの画面を示す図で、２画面に設定されたクローン処理メニューをそれぞれ示すものである。
クローンリストの作成処理画面では、デジタル複合機１が備える機能毎にクローンリストを作成できるようになっている。例えば、図２８の例では、デジタル複合機１が備える機能として、画面コントラスト１５１、日付・時刻設定１５２、給紙トレイ設定１５３、相手先登録１５４、部門管理１５５、省エネ設定１５６、デバイス設定１５７の機能毎にチェックボックスが設定され、それぞれの機能が選択可能になっている。
【００７９】
また図２９の例では、デジタル複合機１が備える他の機能として、システム管理設定１６１、ファックス／イメージ送信設定１６２、コピー設定１６３の機能毎にチェックボックスが設定され、さらに全て選択１６４、及び全て解除１６５のチェックボックスが設定され、それぞれの機能が選択可能となっている。
【００８０】
例えば画面コントラスト１５１、日付・時刻設定１５２、給紙トレイ設定１５３、及び相手先登録１５４の各機能は、図１２に示したユーザ設定画面から設定することができる。また部門管理１５５、省エネ設定１５６、デバイス設定１５７、システム管理設定１６１、ファックス／イメージ送信設定１６２、コピー設定１６３は、図２２に示したキーオペレータープログラムメニューから設定することができる。
【００８１】
そして、チェックボックスをチェックした機能に関わる設定データのみ、後述するクローンシートにコード情報を画像形成することができる。すなわち、本実施形態では、デジタル複合機の機能に関わる各種設定値を設定するための設定データを、ユーザ入力に従って機能ごとに選択することができ、選択された機能に関わる設定データを記録紙等の記録媒体に画像形成することができる。
【００８２】
図３０は、クローンリストの作成処理により作成されたクローンリストの一例を概略的に示す図である。
図３０では、コピー設定に関する各設定値をコード化して二次元コード３００として画像形成し、各二次元コード３００に関連付けて、各設定項目３０１及び設定値３０２の文字情報を印字している。二次元コード３００としては、例えばＱＲコードを適用することができる。
【００８３】
ここでは、例えば、コピー設定におけるとじしろ、枠消去、中とじ、マルチショット、コピー濃度、用紙設定、倍率設定、両面コピー等の設定項目３０１と、各設定項目の設定値３０２を印字し、これら設定項目と設定値とをコード化した二次元コード３００を画像形成している。二次元コード３００は、その情報量に応じて、複数の設定項目の設定値を含ませることができる。
【００８４】
また、対象の装置の機種名を示す二次元コード３０４と、その機種名の文字情報３０３とを含ませることができる。機種名の情報を含ませることにより、クローニング可否を判断することができる。すなわち、デジタル複合機１が二次元コード３０４を読み取る場合に、同一機種の装置によって画像形成された二次元コード情報のみを読取ることができ、クローニングに不適当な機種の情報を誤って読み取ることを防ぐことができる。
【００８５】
図３１は、クローンリストの作成処理により作成されたクローンリストの他の例を概略的に示す図である。
本例のクローンリストでは、ユーザ入力による設定値として、相手先アドレス情報をコード化して二次元コード３０５として画像形成し、二次元コードの設定項目３０６と、その設定項目に対する設定値３０７とを文字情報として印字している。
また本例においても、対象の装置の機種名を示す二次元コード３０４と、その機種名の文字情報３０３とを含ませることができる。またこの場合も、情報量に応じた二次元コードの数は、適宜設定が可能である。
【００８６】
なお、クローンリストに画像形成するコード画像は、上記のような二次元コードに限定されることなく、１次元のバーコードを用いてもよい。またこの他、コード化画像から設定値を抽出できる情報であれば適宜採用することができる。
また二次元コードではなく、文字情報のみを印字し、読取時にはその文字情報を読み取って、この文字情報から設定データを読み取るようにしてもよい。
【００８７】
図３２は、図２７に示すクローン処理メニュー画面でクローンリストの読み込み１４２を選択した状態を示す図である。そして図３３は、図３２でクローンリストの読み込み１４２が確定されたときのクローンリストの読み込み開始画面を示す図である。
図３３の読み取り開始１４３を押すことにより、クローンリストの読み取りが開始され、これによりクローンリストにコード化されている各種機能毎に設定された設定データやユーザ入力された設定データ、及びログデータ等をクローンリストを読み取った装置にクローニングすることができる。
またクローンリストに含まれる機種データから、クローン処理を実行してもよいクローンシートであるかどうかを判別することができる。
【００８８】
この場合、デジタル複合機１の機器制御部１４は、ＲＯＭに保持しているコード化プログラムを使用して、画像読取部１１で読み取ったコード画像をデコードし、得られた設定データやログデータ等を各機能ごとに設定する。
【００８９】
図３４及び図３５は、デジタル複合機１のログデータの一例を示す図である。本実施形態では、上述のようにデジタル複合機１のログデータを、上記のようなクローンリストに含ませることができる。クローンリストでは、ログデータをコード化して二次元コードとして画像形成し、またその二次元コードに関連付けてログデータの文字情報を印字することができる。ログデータをクローンリストの対象として選択可能とするために、例えば図２８及び図２９の画面にログデータのチェックボックスを加えるようにする。
これらクローンリストのログデータは、上記各設定データと同様に、二次元コード以外のコード化画像としてもよく、また文字情報のみを印字するようにしてもよい。
【００９０】
図３４は、ログ情報の一つである印刷ジョブの管理リストの一例を示している。また図３５は、図３４の印刷ジョブの管理リストに基づいて、各ジョブの操作内容を記録したテーブルの一例を示している。この場合、図３４と図３５の管理リストと操作内容とを同一のテーブルで管理するようにしてもよい。
【００９１】
このように、デジタル複合機１の処理状況を示すログデータをクローンリストに画像形成することにより、これを読み取った他のデジタル複合機１においても、これらログデータを管理することができる。これにより、クローン先で元の装置の処理状況を確認することができ、例えばバグや装置の異常等をクローン先で再現することによりトラブル解析等を柔軟に行うことができるようになる。
【００９２】
図３６は、本発明に関わるクローン処理の処理例について説明するためのフローチャートである。
まず装置のクローン処理が開始されると、クローンリストの作成処理、またはクローンリストの読み込み処理を判別する（ステップＳ１）。この場合、例えば図３２のようなクローン処理メニュー画面における選択結果に従って、クローンリストの作成／読み込み処理を判別する。
【００９３】
クローンリストの作成処理の場合、まずクローンリストの作成のメッセージを表示する（ステップＳ２）。ここでは、例えば、図２８及び図２９に示したような、クローンリストを作成することができる機能の選択画面を表示させることができる。
そして、その選択画面から、クローンリストの対象となる各種設定データやログデータ等の画像形成情報が選択される（ステップＳ３）。
【００９４】
選択された設定データやログデータによる画像形成情報をコード化し（ステップＳ４）、そのコード化情報を記録紙等に画像形成する（ステップＳ５）。こうして、上記図３１や図３２のような機能毎のコード情報が画像形成されたクローンシートを得ることができる。
【００９５】
一方、上記ステップＳ１でクローンリストの読み取りである場合、クローンリストの読み込みのメッセージを表示する（ステップＳ６）。ここでは、例えば、図３３に示すようなクローン処理の読み取り開始画面を表示させることができる。
そして、その開始画面で読み取り開始１４３が指示されると、クローンシートの読取処理を行う（ステップＳ７）。ここでは、例えばデジタル複合機の画像読取部１１によって、クローンシートに画像形成されているコード情報を読み取る。
【００９６】
次いで、読み取ったコード情報をデコードして設定データやログデータ等を得、これらを装置に設定し（ステップＳ８）、装置を初期化する（ステップＳ９）。こうしてクローンシートから読み取った設定データ及びログ情報により、クローンシートを作成した装置の設定データやログ情報を簡単にクローニングすることができる。
【図面の簡単な説明】
【００９７】
【図１】本発明の画像処理装置が適用可能なデジタル複合機の構成例を説明するための図である。
【図２】本発明の画像処理装置の機能を説明するための機能ブロック図である。
【図３】図１のデジタル複合機における操作部の一例を示す図である。
【図４】コピーモード機能の設定値の設定例を説明するための図である。
【図５】図４のとじしろキーを押したときに開く画面を示す図である。
【図６】図４の中とじキーを押したときに開く画面を示す図である。
【図７】図４のマルチショットキーを押したときに開く画面を示す図である。
【図８】図３の画面におけるコピー濃度キーを押したときに開く画面を示す図である。
【図９】図３の画面における倍率キーを押したときに開く画面を示す図である。
【図１０】図３の画面における用紙キーを押したときに開く画面を示す図である。
【図１１】図３の両面コピーキーを押したときに開く画面を示す図である。
【図１２】図３のユーザ設定キーを押したときに開く画面を示す図である。
【図１３】図１２に示す相手先登録キーを押したときに開く画面を示す図である。
【図１４】図１３の相手先アドレスキーを押したときに開く画面を示す図である。
【図１５】図１４のワンタッチキーを押したときに開く画面を示す図である。
【図１６】図３のファックス／イメージ送信キーを押したときに開くアドレス帳の画面を示す図である。
【図１７】図３のファックス／イメージ送信キーを押したときに開くアドレス帳の他の画面を示す図である。
【図１８】ユーザ設定画面のキーオペレータープログラムの認証例を説明するための図である。
【図１９】キーオペレータープログラムのメニュー画面例を示す図である。
【図２０】図１９の画面でデバイス設定キーを押したときのデバイス設定画面を示す図である。
【図２１】図２０のセキュリティキーを押したときのセキュリティ設定画面を示す図である。
【図２２】図１９と同じキーオペレータープログラムのメニュー画面を示す図である。
【図２３】キーオペレータープログラムのメニュー画面にてシステム管理設定キーを押したときのシステム管理設定画面を示す図である。
【図２４】図２３に示すシステム管理設定画面においてネットワーク設定キーを押したときのネットワーク設定画面を示す図である。
【図２５】図２４に示すＩＰアドレス設定キーを押したときのＩＰアドレス設定画面を示す図である。
【図２６】図２２に示したキーオペレータープログラムのメニュー画面でクローン処理キーを選択した状態を示す図である。
【図２７】図２６でクローン処理キーが押されたときのクローン処理メニュー画面を示す図である。
【図２８】図２７のクローン処理メニュー画面で、クローンリストの作成キーを押したときの画面を示す図である。
【図２９】図２７のクローン処理メニュー画面で、クローンリストの作成キーを押したときの画面を示す他の図である。
【図３０】クローンリストの作成処理により作成されたクローンリストの一例を概略的に示す図である。
【図３１】クローンリストの作成処理により作成されたクローンリストの他の例を概略的に示す図である。
【図３２】図２７に示すクローン処理メニュー画面でクローンリストの読み込みを選択した状態を示す図である。
【図３３】図３２でクローンリストの読み込みが確定されたときのクローンリストの読み込み開始画面を示す図である。
【図３４】デジタル複合機のログデータの一例を示す図で、ログ情報の一つである印刷ジョブの管理リストの一例を示す図である。
【図３５】デジタル複合機のログデータの一例を示す図で、図３４の印刷ジョブの管理リストに基づいて、各ジョブの操作内容を記録したテーブルの一例を示す図である。
【図３６】本発明に関わるクローン処理の処理例について説明するためのフローチャートである。
【符号の説明】
【００９８】
１…デジタル複合機、２…インターネットファクシミリ装置、３…外部ＰＣ、４…ファクシミリ装置、５…ＰＣ、１１…画像読取部、１１ａ…ＣＣＤ、１１ｂ…原稿検知センサ、１２…操作部、１２ａ…入力部、１２ｂ…表示部、１３…画像形成部、１３ａ…メモリ、１３ｂ…印字部、１３ｃ，１３ｄ…トレイ、１３ｅ…暗号化復号化部、１４…機器制御部、１５…通信部、１６…ＨＤ、１７…管理部、１８…ＦＡＸモデム、１９…消去手段、２０…操作パネル、２１…主キー、２１ａ…スタートキー、２１ｂ…全解除キー、２２…テンキー、２３…プリンタキー、２４…ファックス／イメージ送信キー、２５…コピーキー、２６…ジョブ状況キー、２７…ユーザ設定キー、２８…タッチパネル、２８ａ…コピー濃度キー、２８ｂ…用紙キー、２８ｃ…倍率キー、２８ｄ…特別機能キー、２８ｅ…両面コピーキー、２８ｆ…アウトプットキー、３１…とじしろキー、３２…枠消去キー、３３…コピーキー、３４…中とじキー、３５…大量原稿モードキー、３６…マルチショットキー、４１…総使用枚数表示、４２…画面コントラスト、４３…データリストプリント、４４…日付・時刻設定、４５…給紙トレイ設定、４６…相手先登録キー、４７…キーオペレータープログラムキー、５１…相手先アドレスキー、５２…ユーザインデックスキー、５３…ＭＡＩＬ発信元キー、６１…ワンタッチキー、６２…グループキー、７１…Ｅ−ＭＡＩＬ、７２…インターネットＦＡＸ、７３…相手先名、７４…検索文字キー、７５…インデックスキー、７６…アドレスキー、７７…キー名称キー、７８…フォーマットキー、８１…ワンタッチキー、８２…インデックス、９１…部門管理キー、９２…省エネルギー設定キー、９３…操作設定キー、９４…デバイス設定キー、９５…システム管理設定キー、９６…コピー設定キー、９７…ファックス／イメージ送信設定キー、９８…リスト／レポートプリントキー、９９…キーオペレーターコード変更キー、１００…プロダクトキー入力キー、１０１…クローン処理キー、１１１…原稿検知の設定、１１２…画面機能の使用禁止、１１３…メールビンスタッカーの使用禁止、１１４…原稿送り装置の使用禁止、１１５…給紙デスクの使用禁止、１１６…セキュリティ設定キー、１１７…データエリア消去キー、１１８…データエリア消去回数キー、１１９…自動消去キー、１２１…基本設定キー、１２２…インターフェース設定キー、１２３…ネットワーク設定キー、１２４…保存／呼出しキー、１３１…ＩＰアドレス設定キー、１３２…ＮｅｔＷｅｒｅ有効設定、１３３…ＮｅｔＢＥＵＩ有効設定、１３４…ＴＣＰ／ＩＰ有効設定、１３５…ＥｔｈｅｒＴａｌｋ有効設定、１３６…ＮＩＣリセットキー、１３７…ＩＰアドレス、１３８…ＩＰネットマスク、１３９…ＩＰゲートウェイ、１４０…ＤＨＣＰボタン、１４１…作成キー、１４２…クローンリストの読み込みキー、１５１…画面コントラスト、１５２…日付・時刻設定、１５３…給紙トレイ設定、１５４…相手先登録、１５５…部門管理、１５６…省エネ設定、１５７…デバイス設定、１６１…システム管理設定、１６２…ファックス／イメージ送信設定、１６３…コピー設定、１６４…選択、１６５…解除、２００…画像読取手段、２０１…画像形成手段、２０２…設定データ選択手段、２０３…操作入力手段、２０４…データ設定手段、３００…二次元コード、３０１…設定項目、３０２…設定値、３０３…文字情報、３０４，３０５…二次元コード、３０６…設定項目、３０７…設定値。
【図１】
2007266964.tif 000003
【図２】
2007266964.tif 000004
【図３】
2007266964.tif 000005
【図４】
2007266964.tif 000006
【図５】
2007266964.tif 000007
【図６】
2007266964.tif 000008
【図７】
2007266964.tif 000009
【図８】
2007266964.tif 000010
【図９】
2007266964.tif 000011
【図１０】
2007266964.tif 000012
【図１１】
2007266964.tif 000013
【図１２】
2007266964.tif 000014
【図１３】
2007266964.tif 000015
【図１４】
2007266964.tif 000016
【図１５】
2007266964.tif 000017
【図１６】
2007266964.tif 000018
【図１７】
2007266964.tif 000019
【図１８】
2007266964.tif 000020
【図１９】
2007266964.tif 000021
【図２０】
2007266964.tif 000022
【図２１】
2007266964.tif 000023
【図２２】
2007266964.tif 000024
【図２３】
2007266964.tif 000025
【図２４】
2007266964.tif 000026
【図２５】
2007266964.tif 000027
【図２６】
2007266964.tif 000028
【図２７】
2007266964.tif 000029
【図２８】
2007266964.tif 000030
【図２９】
2007266964.tif 000031
【図３０】
2007266964.tif 000032
【図３１】
2007266964.tif 000033
【図３２】
2007266964.tif 000034
【図３３】
2007266964.tif 000035
【図３４】
2007266964.tif 000036
【図３５】
2007266964.tif 000037
【図３６】
2007266964.tif 000038